(57)【要約】【課題】従来よりも広い範囲で便器本体の位置を変更することが可能な便器装置を提供する。【解決手段】便器装置Ｔは、便鉢部１１を有する便器本体１０と、前記便器本体１０の排水口と床面Ｆに配置された排水管の流入口２１との間を接続する排水接続具３０と、前記便器本体１０を所定の位置に支持するとともに、前記排水接続具３０が収容される収容空間４６が前記便器本体１０から外側に広がる大きさを有して設けられた支持部材４０と、を備えている。【選択図】図１
2015190198.tif 000002
【特許請求の範囲】
【請求項１】
便鉢部を有する便器本体と、
前記便器本体の排水口と床面に配置された排水管の流入口との間を接続する排水接続具と、
前記便器本体を所定の位置に支持するとともに、前記排水接続具が収容される収容空間が前記便器本体から外側に広がる大きさを有して設けられた支持部材と、
を備えた便器装置。
【請求項２】
前記支持部材が、前記便器本体の下部および前記排水接続部の側面を覆う外装部材を備えている請求項１に記載の便器装置。
【請求項３】
前記支持部材が、前記便器本体の左右両側に多目的スペースを有している請求項１または請求項２に記載の便器装置。
【発明の詳細な説明】
【技術分野】
【０００１】
本発明は、便器装置に関する。
【背景技術】
【０００２】
従来、便器本体の下面側に、便器本体に設けられた排水口と床面に設けられた排水管の流入口との間を接続する排水接続具が収容された便器装置が知られている。排水接続具は、便器本体に設けられた側壁によって、その全体が隠蔽されている。
【０００３】
この種の便器装置において、リフォーム等のために便器本体の位置を容易に変更可能とされた便器装置が知られている（例えば下記特許文献１に記載）。この便器装置は、排水管の流入口を中心として排水接続具が水平面上で任意の角度に回動して接続されており、排水管の流入口の位置を変えることなく、便器本体の据え付け位置を変更することができるものである。
【先行技術文献】
【特許文献】
【０００４】
【特許文献１】特許第３４６０６５６号公報
【発明の概要】
【発明が解決しようとする課題】
【０００５】
しかしながら、上記のような構成の便器装置では、排水接続具の回動範囲が、便器本体の側壁で囲まれた狭い範囲に限られるため、便器本体の位置を大きく変更することができず、対応可能な施工現場が限定されるという問題があった。
【０００６】
本発明は上記のような事情に基づいて完成されたものであって、従来よりも広い範囲で便器本体の位置を変更することが可能な便器装置を提供することを目的とする。
【課題を解決するための手段】
【０００７】
本発明の便器装置は、便鉢部を有する便器本体と、前記便器本体の排水口と床面に配置された排水管の流入口との間を接続する排水接続具と、前記便器本体を所定の位置に支持するとともに、前記排水接続具が収容される収容空間が前記便器本体から外側に広がる大きさを有して設けられた支持部材と、を備えている。
【発明の効果】
【０００８】
本発明によれば、便器本体の大きさよりも広い範囲に排水接続具を配置できるから、床面に配置された排水管の流入口の位置を変えることなく、従来よりも広い範囲で便器本体の位置を変更することができる。
【図面の簡単な説明】
【０００９】
【図１】実施例１における便器装置を示す斜視図
【図２】便器装置を示す側断面図
【図３】実施例２における便器装置を示す図面であって、（Ａ）は断面図、（Ｂ）は斜視図
【図４】実施例３における便器装置を示す斜視図
【図５】実施例４における便器装置を示す図面であって、（Ａ）はカウンター支持部材が高い位置にセットされた状態を示す斜視図、（Ｂ）はカウンター支持部材が低い位置にセットされた状態を示す斜視図
【図６】カウンター支持部材にカウンターをセットした状態を示す斜視図
【図７】実施例５における便器装置を示す斜視図
【図８】実施例６における便器装置を示す図面であって、（Ａ）は踏み台が収納された状態を示す斜視図、（Ｂ）は踏み台が引き出された状態を示す斜視図、（Ｃ）は背面側から見た斜視図
【図９】他の実施例（１）における便器装置を示す図面であって、（Ａ）は斜視図、（Ｂ）は断面図
【図１０】他の実施例（１０）における便器装置を示す斜視図
【発明を実施するための形態】
【００１０】
本発明の便器装置は、前記支持部材が、前記便器本体の下部および前記排水接続部の側面を覆う外装部材を備えているものとしてもよい。
このような構成によれば、便器本体の下部および排水接続具の側面が外装部材に覆われるから、便器装置の周辺を容易に掃除することができる。
【００１１】
また、本発明の便器装置は、前記支持部材が、前記便器本体の左右両側に多目的スペースを有しているものとしてもよい。
このような構成によれば、便器本体の右側または左側に設けられた多目的スペースに、タンク、肘掛け、またはカウンタ等を設置することができるから、トイレ室内の空間を効率よく使用してより快適にすることができる。
【００１２】
＜実施例１＞
以下、本発明を具体化した実施例１について、図１および図２を参照しつつ詳細に説明する。
本実施例における便器装置Ｔは、便鉢部１１を有する便器本体１０と、便器本体１０の排水口（以下、便器排水口１２と称する）と床面Ｆに配置された排水管の流入口２１との間を接続する排水接続具３０と、便器本体１０を所定の位置に支持する支持部材４０と、を備えている。
【００１３】
便鉢部１１は、上方に開口するとともに、その上端周縁部に、リム通水路１３が設けられている。便鉢部１１の外形形状は、この上端周縁部が他の部分（下側の部分）よりも外側に突出した形状とされ、この外側に突出した部分が、後述する支持部材４０に係止する係止部１４とされている。係止部１４は、便鉢部１１の上端開口のほぼ全周にわたり連続して設けられている。
【００１４】
また、便器本体１０は、便鉢部１１の下流側に連通した便器排水路１５を有している。便器排水路１５は、図２に示すように、便鉢部１１の封水面Ｌよりも下方に設けられた流出口１６の下流側に連続して形成されている。流出口１６は、略垂直方向下向きに開口している。
【００１５】
便器排水路１５は、流出口１６から斜め後方に下降する第１下降流路１５Ａと、この第１下降流路１５Ａの下流側に連続して形成され、斜め後方に上昇する上昇流路１５Ｂと、この上昇流路１５Ｂの下流側に連続して形成され、略垂直方向に下降する第２下降流路１５Ｃとを有している。第２下降流路１５Ｃの下端部は、下方に突出した形状とされ、排水接続具３０が接続可能とされている。第２下降流路１５Ｃの最下端は、便器排水口１２とされている。
【００１６】
排水接続具３０の一端側は、便器排水路１５の末端部（便器排水口１２）に回動自在に接続されるソケット部３１、他端側は、床面Ｆに引き出された排水管の流入口２１に回動自在に接続される排水接続部３２とされている。排水接続具３０は、排水接続部３２（排水管の流入口２１）を中心として水平方向に回動自在とされている。これにより、床面Ｆ上への便器本体１０の据え付け位置は、排水接続具３０の回動範囲内で左右どちらにも変更可能とされている。
【００１７】
また、排水接続具３０のうちソケット部３１と排水接続部３２との間の部分（以下、横引き管部３３と称する）は、切断により長さ寸法が調整される。これにより、床面Ｆ上への便器本体１０の据え付け位置は、横引き管部３３の長さ方向で変更可能とされている。
【００１８】
排水接続具３０は、排水接続部３２および横引き管部３３のうちソケット部３１側の端部に設けられた接続フランジ３４が、ボルト締め等により床面Ｆに連結されることで床面Ｆに固定されている。
【００１９】
さて、便器本体１０は、図１に示すように、支持部材４０により所定の位置に支持されている。支持部材４０は、床面Ｆに対して略水平に配置される天板部４１と、天板部４１の板面に略垂直をなして設けられた脚部４２とを有している。
【００２０】
天板部４１は、全体として左右方向に長い略長方形の平板状をなしている。天板部４１の長手方向の中心部には、便鉢部１１が嵌合可能な嵌合部４３が上下方向に開口して設けられている。嵌合部４３は、便鉢部１１の係止部１４の外形より一回り小さく、便鉢部１１のうち係止部１４の下側に位置する部分１４Ｕの外形に整合する形状とされている。
【００２１】
便鉢部１１の係止部１４は、天板部４１のうち嵌合部４３の周縁部（以下、係止受け部４４と称する）に対して上方から係止する。これにより、便器本体１０は、高さ方向の位置決めがなされる。また、便鉢部１１のうち係止部１４の下側に位置する部分１４Ｕは、嵌合部４３にほぼ隙間なく嵌合する。これにより、便器本体１０は、天板部４１に対して水平方向の位置決めがなされる。なお、便器本体１０が嵌合部４３に嵌合した状態では、便鉢部１１の係止部１４が天板部４１の上面よりも上側に突出した状態となる。
【００２２】
天板部４１は、 嵌合部４３の左右両側に平坦な板面を有しており、この部分は多目的スペース４５として利用可能とされている。一方、天板部４１の短手方向の寸法（奥行）は、係止受け部４４を確保しつつ、できるだけ小さい寸法に設定されている。
【００２３】
脚部４２は、天板部４１の角部に１本ずつ、計４本が設けられている。各脚部４２は角柱形状をなし、床面Ｆに対して略垂直に立つことが可能とされている。各脚部４２の長さ寸法は、便器本体１０の高さ寸法よりも大きく、支持部材４０に支持された便器本体１０は、床面Ｆから上方に離れた位置に配置される。便器本体１０と床面Ｆとの間には、少なくとも排水接続具３０が配置可能な間隔が確保される。
【００２４】
天板部４１の下側は、排水接続具３０が収容される収容空間４６とされている。収容空間４６は、四方に開放されており、便器本体１０から水平方向外側に広がる大きさを有している。なお、本実施例では、天板部４１の前端部の真下に排水管の流入口２１が配置されている。
【００２５】
次に、上記のように構成された実施例１の作用および効果について説明する。
本実施例の便器装置Ｔは、便鉢部１１を有する便器本体１０と、便器排水口１２と排水管の流入口２１との間を接続する排水接続具３０と、便器本体１０を所定の位置に支持する支持部材４０とを有し、支持部材４０には、排水接続具３０が収容される収容空間４６が便器本体１０から外側に広がる大きさを有して設けられている。
この構成によれば、便器本体１０の大きさよりも広い範囲に排水接続具３０を配置できるから、排水管の流入口２１の位置を変えることなく、従来よりも広い範囲で便器本体１０の位置を変更することができる。
【００２６】
また、支持部材４０が、便器本体１０の左右両側に多目的スペース４５を有している。この構成によれば、便器本体１０の右側または左側に設けられた多目的スペース４５に、タンク、肘掛け、またはカウンタ等を設置することができるから、トイレ内の空間を効率よく使用してより快適にすることができる。
【００２７】
＜実施例２＞
次に、本発明を具体化した実施例２に係る便器装置５０を図３によって説明する。
本実施例の便器装置５０は、支持部材４０が、便器本体１０の下部および排水接続具３０の側面を覆う外装部材５１を備えている点で、実施例１とは相違する。なお、実施例１と同様の構成には同一符号を付して重複する説明を省略する。
【００２８】
本実施例に係る便器本体１０は、実施例１と同様に、便鉢部１１を有する便器本体１０と、便器排水口１２と排水管の流入口２１との間を接続する排水接続具３０と、便器本体１０を所定の位置に支持する支持部材４０と、を備えている。本実施例では、外装部材５１と天板部４１とによって囲まれた空間が、排水接続具３０の収容空間４６となる。
【００２９】
外装部材５１は、布、木材、樹脂材、金属など任意の材料により形成されている。外装部材５１は、便器本体１０の下部（便器本体１０のうち便鉢部１１の係止部１４を除く部分の全体）および排水接続具３０の全体を隠蔽する。
【００３０】
外装部材５１は、便器本体１０の前側を覆う前壁５２、および左右両側をそれぞれ覆う一対の側壁５３とを備え、便器本体１０の３方を覆っている。前壁５２および一対の側壁５３は、いずれも天板部４１から床面Ｆに至る高さ寸法を有している。また、前壁５２は、支持部材４０のうち前側の角部に設けられた一対の脚部４２の間にわたる幅寸法を有し、側壁５３は、支持部材４０のうち前後の角部に設けられた一対の脚部４２の間にわたる幅寸法を有している。なお、外装部材５１は、脚部４２の外側に設けられている。
【００３１】
以上のように本実施例においては、便器本体１０の下部および排水接続具３０の側面が外装部材５１に覆われるから、便器装置５０の周辺を容易に掃除することができる。
【００３２】
＜実施例３＞
次に、本発明を具体化した実施例３に係る便器装置６０を図４によって説明する。
本実施例の便器装置６０は、支持部材４０の多目的スペース４５に洗浄タンク６１を設置した点で、実施例２とは相違する。なお、実施例２と同様の構成には同一符号を付して重複する説明を省略する。
【００３３】
本実施例に係る便器本体１０は、実施例２と同様に、便鉢部１１を有する便器本体１０と、便器排水口１２と排水管の流入口２１との間を接続する排水接続具３０と、便器本体１０を所定の位置に支持する支持部材４０と、を備え、支持部材４０は、便器本体１０の下部および排水接続具３０の側面を覆う外装部材５１を備えている。
【００３４】
そして、支持部材４０の多目的スペース４５には、内部に洗浄水を貯水する洗浄タンク６１が設置されている。洗浄タンク６１は、便器装置６０に向かって左側（図４における左側）の多目的スペース４５に設置されている。洗浄タンク６１は、連結管を介して便器本体１０に連通される。なお、洗浄タンク６１は、右側の多目的スペース４５に設置してもよい。
【００３５】
以上のように本実施例においては、便器本体１０の後側に洗浄タンク６１を設けなくてよいから、洗浄タンク６１を含む便器装置６０の設置スペースの奥行きを小さくすることができる。
【００３６】
＜実施例４＞
次に、本発明を具体化した実施例４に係る便器装置７０を図５および図６によって説明する。
本実施例の便器装置７０は、支持部材４０の多目的スペース４５にカウンター支持部材７１を設置した点で、実施例２とは相違する。なお、実施例２と同様の構成には同一符号を付して重複する説明を省略する。
【００３７】
本実施例に係る便器本体１０は、実施例２と同様に、便鉢部１１を有する便器本体１０と、便器排水口１２と排水管の流入口２１との間を接続する排水接続具３０と、便器本体１０を所定の位置に支持する支持部材４０と、を備え、支持部材４０は、便器本体１０の下部および排水接続具３０の側面を覆う外装部材５１を備えている。
【００３８】
支持部材４０の多目的スペース４５には、カウンター支持部材７１が設置されている。カウンター支持部材７１は、便器装置７０に向かって左側（図５における左側）の多目的スペース４５に設置されている。カウンター支持部材７１は、図５の（Ａ）（Ｂ）に示すように、高さ調整が可能とされている。そして、カウンター支持部材７１の上端には、図６に示すように、カウンター７２が固定される。なお、カウンター支持部材７１は、右側の多目的スペース４５に設置してもよい。
以上のように本実施例においては、カウンター７２を壁面に取り付けないから、壁面を補強等しなくてもよい。
【００３９】
＜実施例５＞
次に、本発明を具体化した実施例５に係る便器装置８０を図７によって説明する。
本実施例の便器装置８０は、カウンター支持部材７１の内部に給水バルブ８１等を収容した点で、実施例４とは相違する。
【００４０】
本実施例に係る便器装置８０は、実施例４と同様に、便鉢部１１を有する便器本体１０と、便器排水口１２と排水管の流入口２１との間を接続する排水接続具３０と、便器本体１０を所定の位置に支持する支持部材４０と、を備え、支持部材４０は、便器本体１０の下部および排水接続具３０の側面を覆う外装部材５１を備えている。そして、支持部材４０の多目的スペース４５には、カウンター支持部材７１が設置されている。
【００４１】
カウンター支持部材７１の内部には、給水バルブ８１が収容されている。給水バルブ８１は、便器本体１０に配管接続されている。また、カウンター支持部材７１の内部には、給水バルブ８１の下側に水受け部材８２が備えられている。水受け部材８２は皿形状をなすとともに、ホース等によって便器本体１０に接続されている。
【００４２】
そして、カウンター支持部材７１のうち便器本体１０側に位置する壁面は、開閉可能な開閉壁８３とされている。開閉壁８３は、カウンター支持部材７１の内部を隠蔽する閉鎖位置と、カウンター支持部材７１の内部を開放する開放位置との間で、前後方向にスライド移動可能とされている。
【００４３】
以上のように本実施例においては、カウンター支持部材７１の内部に給水バルブ８１を設けることができるから、メンテナンスを容易に行うことができる。また、通常においては、開閉壁８３を閉鎖位置にしておくことで、カウンター支持部材７１の内部を隠蔽することができる。さらに、給水バルブ８１から漏水したとしても水受け部材８２を介して便器本体１０に排水されるから、漏水被害を防止することができる。
【００４４】
＜実施例６＞
次に、本発明を具体化した実施例６に係る便器装置９０を図８によって説明する。
本実施例の便器装置９０は、踏み台９１を備えている点で、実施例２とは相違する。なお、実施例２と同様の構成には同一符号を付して重複する説明を省略する。
【００４５】
本実施例に係る便器本体１０は、実施例２と同様に、便鉢部１１を有する便器本体１０と、便器排水口１２と排水管の流入口２１との間を接続する排水接続具３０と、便器本体１０を所定の位置に支持する支持部材４０と、を備え、支持部材４０は、便器本体１０の下部および排水接続具３０の側面を覆う外装部材５１を備えている。
【００４６】
踏み台９１は、便器装置９０の下端部に備えられている。踏み台９１は、全体として左右方向に長い略長方形の箱型をなしている。踏み台９０は、便器本体１０よりも左右方向に大きい略長方形をなす踏み板部９２と、踏み板部９２の左右両端に垂下して設けられた一対の側板部９３と、踏み板部９２の前端に垂下して設けられた前板部９４とを有している。踏み台９１の内部は、下方および後方に開放されている。
【００４７】
外装部材５１の前壁５２には、踏み台９１を出し入れ可能な出入口９５が設けられ、踏み台９１は、そのほぼ全体が支持部材４０の収容空間４６に収容される。踏み台９１が支持部材４０内に収容されると、踏み板部９２は排水接続具３０の上方に離間して配されるとともに一対の側板部９３は排水接続具３０の側方に離間して配される。すなわち踏み台９１は、排水接続具３０に干渉することなく支持部材４０の収容空間４６に収容され、踏み台９１の内部に排水接続具３０が収容された状態になる。
【００４８】
踏み台９１の前板部９４の両端部には、外装部材５１の前壁５２に対して前方から当接可能なストッパ部９６が設けられている。ストッパ部９６が外装部材５１に当接することで、踏み台９１の前板部９４は外装部材５１の前壁５２よりも一段前に配される。ストッパ部９６が外装部材５１に当接することにより、踏み台９１が支持部材４０の奥方に過度に押し込まれることが防止され、踏み台９１を容易に引き出すことができる。
【００４９】
以上のように本実施例においては、踏み台９１は、排水接続具３０に干渉することなく支持部材４０に収納され、踏み台９１を使用したいときに、踏み台９１を支持部材４０から引き出して使用することができる。
【００５０】
＜他の実施例＞
本発明は上記記述及び図面によって説明した実施例に限定されるものではなく、例えば次のような実施例も本発明の技術的範囲に含まれる。
（１）上記実施例では、支持部材４０の天板部４１のうち嵌合部４３の周縁部が係止受け部４４とされ、便器本体１０が嵌合部４３に嵌合した状態では、便鉢部１１の係止部１４が天板部４１の上面よりも上側に突出した状態となるが、これに限らず、例えば、図９に示すように、天板部４１の上面から一段下がった位置に、係止受け部１００を設けることで、便鉢部１１の係止部１４が天板部４１の下側に埋め込まれるものとし、便鉢部１１の上端面と天板部４１の上端面とがほぼ段差のない平坦な面を構成するものとしてもよい。
（２）上記実施例では、支持部材４０は、脚部４２によって天板部４１が所定の高さ位置に保持される形態とされているが、これに限らず、例えば、支持部材は、トイレ室内の天井面に吊り下げられた吊り部材によって天板部が所定の高さ位置に保持されるものとしてもよい。
（３）上記実施例では、支持部材４０には、４本の脚部４２が備えられているが、これに限らず、脚部は何本であってもよく、例えば、脚部は、天板部の幅方向における両端部に一対のみが備えられるものとしてもよく、また、外装部材が所定の強度を有して脚部を兼ねるものとしてもよい。
（４）上記実施例では、天板部４１は、略長方形をなすものとされているが、これに限らず、天板部はどのような形状であってもよく、例えば楕円形状をなすものとしてもよい。
（５）上記実施例では、嵌合部４３は、天板部４１の中心部に設けられているが、これに限らず、嵌合部は天板部のどの位置に設けられていてもよく、例えば天板部の端寄りの位置に設けられるものとしてもよい。
（６）上記実施例１では、脚部４２は、床面Ｆに対して略垂直に立つものとされているが、これに限らず、例えば、脚部は、天板部から斜め外側に開くように設けられ、床面に対して斜めに立つものとしてもよい。
（７）上記実施例１では、天板部４１の下側に排水管の流入口２１が配されるように、支持部材４０が配置されているが、これに限らず、例えば、排水管の流入口から大きく離れた位置に支持部材を配置し、天板部の外側に排水管の流入口が配されるようにしてもよい。
（８）上記実施例２では、外装部材５１は、前壁５２と一対の側壁５３とを有して便器本体１０の３方を覆っているが、これに限らず、例えば、外装部材が後壁を備えて便器本体の４方を覆うものとしてもよく、また、例えば、外装部材が前壁のみを有して便器本体の前方のみを覆うものとしてもよい。
（９）上記実施例４では、カウンター支持部材７１にカウンター７２が固定されているが、これに限らず、例えば、カウンター支持部材にカウンターを固定せず、カウンター支持部材を肘掛として使用してもよい。
（１０）上記実施例５では、カウンター支持部材７１の内部に給水バルブ８１および水受け部材８２が収容されているが、これに限らず、カウンター支持部材の内部に、給水バルブや水受け部材とは異なる他の備品や機器等を収容するものとしてもよい。
（１１）上記実施例６では、支持部材４０の収容空間４６に踏み台９１が収容されるが、これに限らず、例えば、図１０に示すように、支持部材４０の収容空間４６に、備品等を収納可能な収納部１０１を、適宜引き出し可能な状態で収容するものとしてもよい。収納部１０１に備品等を収納することで、トイレ空間を整理することができる。
【符号の説明】
【００５１】
Ｆ…床面
Ｔ，５０，６０，７０，８０，９０…便器装置
１０…便器本体
１１…便鉢部
１２…便器排水口（便器本体の排水口）
２１…排水管の流入口
３０…排水接続具
４０…支持部材
４５…多目的スペース
４６…収容空間
５１…外装部材
【図１】
2015190198.tif 000003
【図２】
2015190198.tif 000004
【図３】
2015190198.tif 000005
【図４】
2015190198.tif 000006
【図５】
2015190198.tif 000007
【図６】
2015190198.tif 000008
【図７】
2015190198.tif 000009
【図８】
2015190198.tif 000010
【図９】
2015190198.tif 000011
【図１０】
2015190198.tif 000012